(57)【要約】      （修正有）【課題】コンクリート２次製品を設置する作業において、狭い空間よりジャッキアップができ、上下方向及び水準を容易に合わせてコンクリート２次製品を設置できるジャッキ装置を提供する。          【解決手段】両側に外れ止めを設けた板状の基板３と、側断面はクサビ状に形成され上面は傾斜面を形成し、前記基板の上を摺動するクサビ体４と、該クサビ体４の傾斜面１０を摺動し、下側傾斜面は、クサビ体の傾斜と同じ角度を持ち、上面はコンクリート２次製品を載せる載置部９を形成した昇降体２と、該昇降体２とクサビ体４をネジ６によって伸縮可能に接続し操作ハンドル７によって回転させて伸縮する装置とからなることを特徴とする。【選択図】図１
0003150047.tif 000002
【実用新案登録請求の範囲】
【請求項１】
両側に外れ止めを設けた板状の基板と、側断面はクサビ状に形成され上面は傾斜面を形成し、前記基板の上を摺動するクサビ体と、該クサビ体の傾斜面を摺動し、下側傾斜面は、クサビ体の傾斜と同じ角度を持ち、上面はコンクリート２次製品を載せる載置部を形成した昇降体と、該昇降体と該クサビ体をネジによって伸縮可能に接続し操作ハンドルによって回転させて伸縮する装置とからなることを特徴とするジャッキ装置。
【請求項２】
操作ハンドルを回転させることによって、昇降体が、クサビ体の傾斜面を摺動し、昇降体が上下に昇降するものであることを特徴とするジャッキ装置。
【考案の詳細な説明】
【技術分野】
【０００１】
本発明はコンクリート２次製品を上下方向および水平を合わすことのできる薄型のジャッキ装置に関するものである。
【背景技術】
【０００２】
Ｕ字溝や道路境界ブロックなどのコンクリート２次製品を設置する施工の際、施工個所の基礎面とコンクリート２次製品との間の距離を３センチ程度開くように、基礎を低く形成する。それから、そこに敷きモルタルを３センチ程度敷き、作業員がコンクリート２次製品を置き、敷きモルタルの調整で目視あるいは勘により上下水平を合わせ設置する。
または、コンクリート２次製品に調整用の脚を付け、ボルトを回転させて、基礎面を突くことによって、高さ調整させるボルトアジャスタ式のものが使用されたり、コンクリート２次製品の下面に楔を打ち込んで高さ調整する等の対処をしていた。
【０００３】
これに対して、特開平１１−１９９１８４に示す発明が提供されている。本提案は支持物の下にジャッキを差し込んで支持し、ジャッキに設けた回転子により支持物を容易に移動可能とするものである。
【特許文献１】特開平１１−１９９１８４号  公報
【考案の開示】
【考案が解決しようとする課題】
【０００４】
コンクリート２次製品を設置する際に、人力で持ち運びできる重量のものは、クサビなどで設置し、重量のある１トン程度のものについては、油圧装置付きジャッキを使用すると、その間の重量を持つコンクリート２次製品たとえば、１００キロ以上５００キロ程度の重量物を設置する際の、低コストのジャッキを提供しようとするものである。また他の電気製品、機械製品などをジャッキアップする際の、小型、軽量、低コストのジャッキを提供するものである。
【課題を解決するための手段】
【０００５】
両側に外れ止めを設けた板状の基板と、側断面はクサビ状に形成され上面は傾斜面を形成し、前記基板の上を摺動するクサビ体と、該クサビ体の傾斜面を摺動し、下側傾斜面は、クサビ体の傾斜と同じ角度を持ち、上面はコンクリート２次製品を載せる載置部を形成した昇降体と、該昇降体と該クサビ体をネジによって伸縮可能に接続し操作ハンドルによって回転させて伸縮する装置を使用して、コンクリート２次製品などをジャッキアップすることである。
【考案の効果】
【０００６】
この発明の薄型のジャッキ装置によると重機などで設置場所に置いたコンクリート２次製品の下側に本考案のジャッキ装置を差し込みラチェットレンチハンドルで操作することにより上下方向及び水準を容易に調整することができ、作業者の体力を消耗することなく作業効率を著しく向上することができるようになった。油圧を利用してないので、長時間荷重をかけても下がるということはない。また、小型で操作も簡単、差し込み口がせまく、いろいろな方面で使用可能になった。
【考案を実施するための最良の形態】
【０００７】
本考案の実施形態を図面に基づき説明する。図１は、本考案のジャッキ装置を示す斜視図、図２は、本考案のジャッキ装置の要部拡大断面側面図である。図３は、本考案のジャッキ装置の部品構造図である。
【０００８】
図１において、２は、昇降体で最小厚さは１〜１．５センチくらいの厚さの硬質金属で成型されており、上側の載置部９は、コンクリート２次製品を載置する部分である。この昇降体２の先端部は狭い空間へ挿入しやすくするため側面視でクサビ状に尖らせて形成されている。また基板３は、上側にクサビ体４が摺動するように形成されている。クサビ体４の傾斜部１０には、昇降体２のガイド部８が入るように溝が設けられており、クサビ体４の上を昇降体２が外れることなく摺動出来るようになっている。クサビ体４の後端部には、操作ハンドル７とラチェットレンチ５が組み込まれている。昇降体２と操作ハンドル７及びラチェットレンチ５は台形ネジ６でつながっており、操作ハンドル７を右回転させると、昇降体２と操作ハンドル７の間隔が短くなるようになっている。台形ネジ６は大きな力がかかる場合でも、ネジを回すのに要するモーメントが少なく、ネジ山が台形の形状をしている。操作ハンドル７には、クサビ体４との接触部分に大きな摩擦力がかかるので、スラストベアリングが組み込まれている。操作ハンドル７とラチェットレンチ５は連動されており、負荷が軽い場合は操作ハンドル７を回し、負荷が重い場合にはラチェットレンチ５で回転させる。
【０００９】
次に図２はジャッキ装置１の要部拡大断面側面図である。図２の操作ハンドルが右回転すると、矢印で示すように台形ネジ６によってクサビ体４が左方へ摺動する。するとクサビ体４の上を昇降体２が滑って、昇降体２が上方に上がりコンクリート２次製品を持ち上げる。下げる場合は操作ハンドルを左回転させると、台形ネジ６によってクサビ体４が右側に摺動する。するとクサビ体４の上を昇降体２が滑って、下方に下がりコンクリート２次製品を下げる。
【図面の簡単な説明】
【００１０】
【図１】本考案のジャッキ装置を示す斜視図である。
【図２】本考案のジャッキ装置の要部拡大断面側面図である。
【図３】本考案のジャッキ装置の部品構造図である。
【符号の説明】
【００１１】
１  ジャッキ装置
２  昇降体
３  基板
４  クサビ体
５  ラチェットレンチ
６  台形ネジ
７  操作ハンドル
８  ガイド部
９  載置部
１０  傾斜部
１１  コンクリート２次製品
Ａ    最少調整高さ
Ｂ    最大調整高さ
Ｌ    作動行程
【図１】
0003150047.tif 000003
【図２】
0003150047.tif 000004
【図３】
0003150047.tif 000005
【手続補正書】
【提出日】平成21年2月20日(2009.2.20)
【手続補正１】
【補正対象書類名】実用新案登録請求の範囲
【補正対象項目名】請求項２
【補正方法】変更
【補正の内容】
【請求項２】
操作ハンドルを回転させることによって、昇降体が、クサビ体の傾斜面を摺動し、昇降体が上下に昇降するものであることを特徴とする請求項1記載のジャッキ装置